(57)【要約】【課題】  １台のＬＥＤ照明装置で複数のＬＥＤ照明装置を設置したのと同様な多角的な照明を簡易に行うことができ、複数のＬＥＤ照明装置を設置又は製造する工程とコストの削減及び省エネルギー化を実現する。【解決手段】  ＬＥＤ照明装置１００は、ＬＥＤ素子と、このＬＥＤ素子が実装されたＬＥＤ基板１４が配置されるベース部材１０と、このＬＥＤ素子への電流の供給を含むＬＥＤ素子の点灯制御を行う点灯制御部１３と、ベース部材１０に取り付けられる透光性カバー３と、を備えている。ＬＥＤ素子は、点灯制御部１３に別々に接続された２以上の異なる点灯回路中に設置されて、点灯制御部１３により点灯回路毎に各々別々に発光又は調光が制御されている。【選択図】  図２
2015103333.tif 000002
【特許請求の範囲】
【請求項１】
ＬＥＤ素子と、
前記ＬＥＤ素子が実装されたＬＥＤ基板が配置されるベース部材と、
前記ＬＥＤ素子への電流の供給を含む前記ＬＥＤ素子の点灯制御を行う点灯制御部と、
前記ベース部材に取り付けられる透光性カバーと、を備えたＬＥＤ照明装置であって、
前記ＬＥＤ素子は、前記点灯制御部に別々に接続された２以上の異なる点灯回路中に設置されて、前記点灯制御部により前記点灯回路毎に各々別々に発光又は調光が制御されていることを特徴とするＬＥＤ照明装置。
【請求項２】
請求項１に記載されたＬＥＤ照明装置であって、
前記透光性カバーの内側に光を透過しない仕切り板が配設されていることを特徴とするＬＥＤ照明装置。
【請求項３】
請求項２に記載されたＬＥＤ照明装置であって、
前記仕切り板は、前記ベース部材に対して垂直で、前記ベース部材よりも前面側に配設されていることを特徴とするＬＥＤ照明装置。
【請求項４】
請求項３に記載されたＬＥＤ照明装置であって、
前記仕切り板は、前記透光性カバーの光出射面において、前記透光性カバーから離反して設置されていることを特徴とするＬＥＤ照明装置。
【請求項５】
請求項２乃至請求項４のいずれかに記載されたＬＥＤ照明装置であって、
前記仕切り板は、前記点灯回路毎に各々別々に発光又は調光が制御されている部位を区分するように配置されていることを特徴とするＬＥＤ照明装置。
【請求項６】
請求項２乃至請求項５のいずれかに記載されたＬＥＤ照明装置であって、
少なくとも前記透光性カバーに、前記仕切り板が設けられている位置を示す位置決め用の方向判別印が設けられていることを特徴とするＬＥＤ照明装置。
【請求項７】
請求項６に記載されたＬＥＤ照明装置であって、前記透光性カバーを除いた部材にも、前記点灯回路毎に各々別々に発光又は調光が制御されている部位の区分けの境界を示し、前記透光性カバーに設けられた前記位置決め用の方向判別印を付合させるべき前記位置決め用の方向判別印が設けられていることを特徴とするＬＥＤ照明装置。
【発明の詳細な説明】
【技術分野】
【０００１】
本発明は、ＬＥＤ素子を光源に使用したＬＥＤ照明装置の改良に係り、特に被取付部に取り付けられて用いられるＬＥＤ照明装置におけるＬＥＤ素子の制御の改良に関するものである。
【背景技術】
【０００２】
近年、環境意識の高まりから、省電力化に優れたＬＥＤ素子を光源に使用した、電源内蔵型の電球型ＬＥＤランプが普及してきた。更に最近は、天井直付け型のシーリングライトや、天井から吊り下げられて室内を照らす吊下げ型照明機器においても、ＬＥＤ素子を使用した照明装置が開発され、市場に導入されてきている。
【０００３】
このような天井直付け型シーリングライトとしては、天井面に取り付けられた引掛シーリングボディ等の照明装置において、発光色または明るさを切り替えることが可能なシーリングライトが検討されている（例えば、特許文献１等参照）。
【０００４】
具体的には、例えば、特許文献１に記載されている照明装置は、第１ＬＥＤ列と第２ＬＥＤ列とが設けられており、各ＬＥＤ列のそれぞれのアノードへ印加電圧を供給する電圧供給部と、第１ＬＥＤ列及び第２ＬＥＤ列のうち、点灯させるＬＥＤ列を選択するスイッチ制御回路とを備えている。電圧供給部は、印加電圧を変更可能に設けられており、照明装置は、さらに、第１ＬＥＤ列及び第２ＬＥＤ列を流れる電流を検知する電流検知レベル出力回路と、電流検知レベル出力回路にて検知したスイッチ制御回路にて選択されたＬＥＤ列を流れる電流が所望値となるように、電圧供給部を制御する制御回路とを備えている照明装置が提供される。
【０００５】
しかしながら、この特許文献１に記載されている照明装置においては、それぞれ第１ＬＥＤ列と第２ＬＥＤ列のうち、点灯させるＬＥＤ列を選択して発光色または明るさを切り替えてはいるものの、これらのＬＥＤ列は、単一の同じ回路中に設定されており、選択に応じて切り替えられる部分毎には動作制御を行ってはいなかった。このため、この従来技術では、単一の同じ回路中に存在する複数のＬＥＤ列に異なる動作を行わせるため、回路設計が複雑で、発光色や明るさの切り替えに際し、ＬＥＤ列の制御が非常に煩雑となり、その設定に手間とコストを要すると共に、設定した制御系に故障が生ずるおそれがあった。加えて、全てのＬＥＤ列が単一の同じ回路中に設定されているため、切り替えによる発光や調光はできるものの、各ＬＥＤ列毎に異なる調光や発光状態に制御することもできず、多種多様な発光状態のニーズに応えることは必ずしもできなかった。
【先行技術文献】
【特許文献】
【０００６】
【特許文献１】特開２０１２−２４８３３８号公報
【発明の概要】
【発明が解決しようとする課題】
【０００７】
本発明が解決しようとする課題は、上記の問題点に鑑み、１台のＬＥＤ照明装置で複数のＬＥＤ照明装置を設置したのと同様な多角的な照明を簡易に行うことができ、複数のＬＥＤ照明装置を設置又は製造する工程とコストの削減及び省エネルギー化（以下省エネ化と略す）を実現することができるＬＥＤ照明装置を提供することにある。
【課題を解決するための手段】
【０００８】
本発明は、上記の課題を解決するための第１の手段として、ＬＥＤ素子と、このＬＥＤ素子が実装されたＬＥＤ基板が配置されるベース部材と、ＬＥＤ素子への電流の供給を含むＬＥＤ素子の点灯制御を行う点灯制御部と、ベース部材に取り付けられる透光性カバーと、を備えたＬＥＤ照明装置であって、ＬＥＤ素子は、点灯制御部に別々に接続された２以上の異なる点灯回路中に設置されて、点灯制御部により点灯回路毎に各々別々に発光又は調光が制御されていることを特徴とするＬＥＤ照明装置を提供するものである。
【０００９】
本発明は、上記の課題を解決するための第２の手段として、上記第１の解決手段において、透光性カバーの内側に光を透過しない仕切り板が配設されていることを特徴とするＬＥＤ照明装置を提供するものである。
【００１０】
本発明は、上記の課題を解決するための第３の手段として、上記第２の解決手段において、仕切り板は、ベース部材に対して垂直で、ベース部材よりも前面側に配設されていることを特徴とするＬＥＤ照明装置を提供するものである。
【００１１】
本発明は、上記の課題を解決するための第４の手段として、上記第３の解決手段において、仕切り板は、透光性カバーの光出射面において、透光性カバーから離反して設置されていることを特徴とするＬＥＤ照明装置を提供するものである。
【００１２】
本発明は、上記の課題を解決するための第５の手段として、上記第２乃至第４のいずれかの解決手段において、仕切り板は、点灯回路毎に各々別々に発光又は調光が制御されている部位を区分するように配置されていることを特徴とするＬＥＤ照明装置を提供するものである。
【００１３】
本発明は、上記の課題を解決するための第６の手段として、上記第２乃至第５のいずれかの解決手段において、少なくとも透光性カバーに、仕切り板が設けられている位置を示す位置決め用の方向判別印が設けられていることを特徴とするＬＥＤ照明装置を提供するものである。
【００１４】
本発明は、上記の課題を解決するための第７の手段として、上記第６の解決手段において、透光性カバーを除いた部材にも、点灯回路毎に各々別々に発光又は調光が制御されている部位の区分けの境界を示し、透光性カバーに設けられた位置決め用の方向判別印を付合させるべき位置決め用の方向判別印が設けられていることを特徴とするＬＥＤ照明装置を提供するものである。
【発明の効果】
【００１５】
本発明によれば、上記のように、ＬＥＤ素子は、点灯制御部に別々に接続された２以上の異なる点灯回路中に設置されて、この点灯制御部により点灯回路毎に各々別々に発光又は調光が制御されているため、１台のＬＥＤ照明装置で複数のＬＥＤ照明装置を設置したと同様な多角的な照明を行うことが可能となり、複数のＬＥＤ照明装置を設置又は製造する工数とコストの削減と、省エネ化を実現することができる実益がある。
【００１６】
また、本発明によれば、上記のように、透光性カバーの内側に光を透過しない仕切り板が配設されているため、透光性カバー内において各点灯回路に対応する点灯部分による照明効果を遮断して、一部の点灯回路に対応する点灯部分による照明効果が他の点灯回路に対応する部分による照明効果により影響を受けることを抑制することができ、ＬＥＤ照明装置の各点灯回路に対応する点灯部分毎の点滅動作を明確にして、効果を向上させることができる実益がある。
【００１７】
この場合、本発明によれば、上記のように、仕切り板がベース部材に対して垂直で、ベース部材よりも前面側に配設されているため、各点灯回路に対応する部位におけるＬＥＤ素子の発光を相互に干渉させない役割を有し、ＬＥＤ照明装置の各点灯回路に対応する点灯部分毎の点滅動作の効果を向上させることができる実益がある。
【００１８】
同時に、本発明によれば、上記のように、仕切り板は、点灯回路毎に各々別々に発光又は調光が制御されている部位を区分するように配置されているため、各点灯回路に対応する部位におけるＬＥＤ素子の発光を相互に干渉させない役割を有し、ＬＥＤ照明装置の各点灯回路に対応する点灯部分毎の点滅動作の効果を向上させることができる実益がある。
【００１９】
更に、本発明によれば、上記のように、仕切り板が透光性カバーの光出射面、即ち、ＬＥＤ照明装置を天井面に設置した場合における床面側において、透光性カバーから離反して設置されているため、光射出面側から見た場合において、各点灯回路に対応する点灯部分毎の点滅動作時に透光性カバーに点滅部分の区切りをぼやかし、境界線が影として出るのを抑制して自然な発光を確保することができる実益がある。
【００２０】
加えて、本発明によれば、上記のように、少なくとも透光性カバーに、仕切り板が設けられている位置を示す位置決め用の方向判別印が設けられているため、ＬＥＤ照明装置を天井面に設置する際に、仕切り板の方向を適正に考慮して、各点灯回路に対応する点灯部分毎に設定された点灯動作に応じて、ＬＥＤ照明装置を、好みの方向に向けて適切に設置することができると共に、この場合において、上記のように、透光性カバーを除いた部材にも、点灯回路毎に各々別々に発光又は調光が制御されている部位の区分けの境界を示す方向判別印を設けているため、方向判別印同士を付合させるだけで、ＬＥＤ照明装置を簡易に適正に設置することができる実益がある。
【図面の簡単な説明】
【００２１】
【図１】本発明のＬＥＤ照明装置の被照射面側から見た外観斜視図である。
【図２】本発明のＬＥＤ照明装置の垂直断面図である。
【図３】本発明のＬＥＤ照明装置の分解斜視図である。
【図４】本発明のＬＥＤ照明装置の透光性カバーを外した状態の平面図である。
【図５】本発明に用いられるベース部材の斜視図である。
【図６】本発明に用いられるベース部材の一部破断断面図である。
【図７】本発明に用いられる電源カバーの斜視図である。
【図８】本発明に用いられる電源カバーの断面図である。
【図９】本実施形態に係わるアダプタの斜視図である。
【図１０】本発明に用いられる取付部分の断面図である。
【図１１】本発明に用いられるアダプタ受け部材の斜視図である。
【図１２】本発明に用いられるアダプタ受け部材の断面図である。
【図１３】本発明に用いられるセンターカバーの斜視図である。
【図１４】本発明に用いられるセンターカバーの断面図である。
【図１５】本発明に用いられるセンター基板の斜視図である。
【図１６】本発明に用いられる基板固定台の斜視図である。
【図１７】本発明に用いられるＬＥＤ基板の平面図である。
【図１８】本発明に用いられる保護カバーの平面図である。
【図１９】本発明に用いられる保護カバーの斜視図である。
【図２０】本発明に用いられる枠体の斜視図である。
【図２１】本発明に用いられる枠体の断面図である。
【図２２】本発明に用いられる透光性カバーの斜視図である。
【図２３】本発明に用いられる透光性カバーの断面図である。
【図２４】本発明のＬＥＤ照明装置の一部拡大断面図である。
【図２５】本発明のＬＥＤ照明装置の外観斜視図である。
【図２６】本発明のＬＥＤ照明装置の縦断面図である。
【図２７】本発明のＬＥＤ照明装置の分解斜視図である。
【図２８】本発明に用いられるＶ字バネによる位置決め状態を示す斜視図である。
【図２９】本発明に用いられるＶ字バネの斜視図である。
【図３０】本発明に用いられる位置調整部を備えたベース部材の斜視図である。
【図３１】本発明に用いられるベース部材の断面図である。
【図３２】本発明に用いられる透光性カバーの斜視図である。
【図３３】本発明に用いられる透光性カバーの断面図である。
【図３４】本発明に用いられる連結部分の拡大斜視図である。
【図３５】本発明の変形例に用いられるバネによる位置決め状態を示す斜視図である。
【図３６】本発明の変形例に用いられるバネ及びバネ受けの斜視図である。
【発明を実施するための形態】
【００２２】
以下に本発明の好適な実施の形態について、図面を参照しながら詳細に説明する。
【００２３】
＜第１の実施の形態＞
本発明のＬＥＤ照明装置の第１の実施の形態は、シーリングライトにおいて、特に図１に示すように、ＬＥＤ素子を、半分毎に分けて、その発光又は調光等の動作を制御する形態である。但し、動作制御の単位は必ずしも、図１に示すような半分に限定されるものではなく、必要に応じて、他の３分割や、４分割等の必要な単位で行うことができ、また、図１に示すように、半円状の分割ではなく、扇状やリング状等の他の形状に分割することもできる。
【００２４】
図１乃至図３は、本発明のＬＥＤ照明装置１００の第１の実施の形態を示し、この第１の実施の形態におけるＬＥＤ照明装置１００は、図１及び図２に示すように、透光性カバー３を透光性カバーＡ部３ａと透光性カバーＢ部３ｂに分けて、半分毎にＬＥＤ素子１５の動作が制御されている。
【００２５】
この本実施形態に係わるＬＥＤ照明装置１００は、図１乃至図３に示すように、ＬＥＤランプ本体１と、このＬＥＤランプ本体１に取り付けられる透光性カバー３とから成り、天井面５にあらかじめ設置されているロゼットや引掛シーリングボディ等の配線器具７に、電気的かつ機械的に接続されるアダプタ６を備え、さらにアダプタ６にＬＥＤランプ本体１が着脱自在に装着される。天井面５にＬＥＤ照明装置１００を装着する場合、電源カバー１９の天井面５側に取付けられているポリウレタン等の弾性部材１２を天井面５へ向けて押し込み、アダプタ６とＬＥＤランプ本体１の取付部分１１とを接続するように、ＬＥＤ照明装置１００を押圧する。その後、ＬＥＤランプ本体１に、枠体４と透光性カバー３を取り付けて、ＬＥＤ照明装置１００はシーリングライトとして使用可能となる。弾性部材１２は、ＬＥＤ照明装置１００と天井面５の両方に接触しており、ＬＥＤ照明装置１００の位置ずれや振動を防止することができる。この場合、被取付部としての配線器具７が天井面５に設けられていれば、天井面５に特別な補強を施すことなく、施工性良くＬＥＤ照明装置１００を取付けることができる。
【００２６】
・  ＬＥＤランプ本体）
ＬＥＤランプ本体１は、図３及び図４に示すように、ベース部材１０と、このベース部材１０を天井面５等の被取付部の配線器具７に取り付けられたアダプタ６に取付ける取付部分１１と、このベース部材１０の背面側に設置された電源カバー１９と、この電源カバー１９に配設される点灯制御部１３からなっている。また、ＬＥＤランプ本体１は、図３及び図４に示すように、この取付部分１１よりも外周側においてベース部材１０の前面に配設されるＬＥＤ基板１４と、このＬＥＤ基板１４を斜めに固定する基板固定台１４ｅと、このＬＥＤ基板１４に実装されるＬＥＤ素子１５と、このＬＥＤ基板１４を覆う保護カバー２０をも有している。
【００２７】
（１．−１  ベース部材）
ＬＥＤランプ本体１のベース部材１０は、冷間圧延鋼板（ＳＰＣＣ）等の金属材料を使用して、打抜加工、プレス加工、折曲加工等によって作成される。ベース部材１０は、図２乃至図６に示すように、円盤形状で、特に図５に示すように中心部に円形のベース部材取付部１０ａが開口し、特に図４に示すように、このベース部材取付部１０ａには、取付部分１１が外部より目視出来ないように、センターカバー１８が、前面側に形成されている。
【００２８】
また、ベース部材１０には、図５及び図６に示すように、ＬＥＤランプ本体１の厚み方向においてＬＥＤランプ本体１を貫くようにＬＥＤランプ本体１と直交する中心軸を中心とする略円形の形状を有する周方向リブ１６と、ＬＥＤランプ本体１の厚み方向においてＬＥＤランプ本体１を貫くようにＬＥＤランプ本体１と直交する中心軸からＬＥＤランプ本体１の外周に向けて延びる放射線上に設けられている放射方向リブ１７とが形成されている。この周方向リブ１６は、図５及び図６に示すように、環状に加工された中央部側リブ１６ａ、内部側リブ１６ｂと周縁部側リブ１６ｃから成っている。これらのリブ１６、１７を設けることにより、ベース部材１０の強度を補強することができ、ベース部材１０を構成する金属材料の厚みを薄くすることが可能になり、軽量化とコストダウンを実現することができとともに、放熱面積を増加することができる。さらに、後述する保護カバー２０は、周縁部側リブ１６ｃの前面側凹形状の端部と保護カバー２０の外周部２０ｂの略Ｌ字形状部分が嵌装されて、ベース部材１０に固定されている基板固定台１４ｅと保護カバー固定孔２０ｅを用いて固定される。これにより、保護カバー２０内に粉塵や虫等が侵入するのを防止する機能も有する。
【００２９】
（１．−２  電源カバー）
電源カバー１９は、図７及び図８に示すように、冷間圧延鋼板（ＳＰＣＣ）等の金属材料を使用して、打抜加工、プレス加工、折曲加工等によって略円環状に作成される。この電源カバー１９は、図７及び図８に示す電源カバー外縁部１９ｂを、ベース部材１０の背面に取り付けることにより、ベース部材１０に取り付けられる。具体的には、電源カバー外縁部１９ｂは、ベース部材１０の内部側リブ１６ｂの背面側の凸部に固定され、電源カバー内縁部１９ａは、取付部分１１のアダプタ受け部材１１ａに固定される。また、電源カバー１９の電源カバー外側壁１９ｅは、図７及び図８に示すように、前面側に向かって拡開するように傾斜状をなしており、電源カバー背面壁１９ｃの中央部には電源カバー開口部１９ｆが形成されて、電源カバー開口部１９ｆは、電源カバー背面壁１９ｃより前面側に向かって縮閉するように傾斜状をなして電源カバー内側壁１９ｄが設けられている。
【００３０】
（１．−３  点灯制御部）
点灯制御部１３は、図２、図３及び図２３に示すように、配線器具７からの交流電流を直流に変換してＬＥＤ基板１４を介してＬＥＤ素子１５に電流を供給するために、電源カバー１９の電源カバー背面壁１９ｃの前面側に、円弧状に配設されている。点灯制御部１３は、電子部品１３ａが片面に配線された紙フェノール基板（ＦＲ−１）で構成されている。点灯制御部１３の電子部品１３ａが搭載されていない裏面を、絶縁シートを介して電源カバー１９の前面側に配設することにより、点灯制御部１３から発生する熱を、電源カバー１９を介して放熱することが可能となる。なお、この点灯制御部１３を構成する電子部品１３ａは、過電流保護、ノイズカット、整流、平滑、調光制御などを行うための各種ダイオード、コンデンサ、ＩＣ、抵抗などの公知の電子部品である。
【００３１】
この点灯制御部１３では、後述する各点灯回路毎に各々別々に、発光又は調光を制御している。具体的には、図示の実施の形態では、後述するＬＥＤ素子１５が実装された８枚のＬＥＤ基板を４枚ずつの２つに分割して、２分割されたＬＥＤ基板１４毎に異なる２つの点灯回路を形成し、これらの２つの点灯回路を別々に点灯制御部１３に接続して、点灯制御部１３により各点灯回路毎に独立して発光又は調光を制御している。
【００３２】
（１．−４  取付部分）
取付部分１１は、アダプタ６が挿通し係合するアダプタガイド部分であり、ＬＥＤランプ本体１をアダプタ６に、取り付ける部分である。この取付部分１１は、図１０に示すように、アダプタ６を挿入することができる開口空間を形成する電源カバー開口部１９ｆと、ベース部材１０のベース部材取付部１０ａと、本発明においては、更に、電源カバー１９とベース部材１０との間に挟まれるアダプタ受け部材１１ａとから成っている。この取付部分１１は、図９に示すアダプタ６の係止部６ａを、ＬＥＤランプ本体１を接続するアダプタ受け部材１１ａのアダプタ係止挿入部１１ｂで受けて、固定する。アダプタ受け部材１１ａは、図１０乃至図１２に示すように、電源カバー１９の内縁部１９ａとベース部材１０のベース部材取付部１０ａの間に嵌装されて図示しないネジにより固定されることにより、電源カバー１９とベース部材１０との間に挟まれる。
【００３３】
アダプタ６は、図９に示すように、天井面５に設置された配線器具７に、上面側に設けられた引掛刃６ｂによって電気的かつ機械的に接続されるもので略円筒状をなし、配線器具７に差し込み、回動して固定される。固定を保持させるために、アダプタ６の上面側に止め具６ｃが設けられている。止め具６ｃは、周壁のボタン６ｄを押入操作することにより解除されるようになっている。アダプタ６の周壁の両側には、一対の係止部６ａが内蔵されたスプリングによって、常時外周側へ突出するように設けられている。この係止部６ａは、下面側に設けられたレバーを操作することにより没入するようになっている。また、このアダプタ６からは、点灯制御部１３へ接続する図示しない電源コードが導出されていて、点灯制御部１３とコネクタを介して接続されるようになっている。
【００３４】
さらに、アダプタ受け部材１１ａには、図１１及び図１２に示すように、アダプタ６からの商用電源を点灯制御部１３に送るための配線と、点灯制御部１３からＬＥＤ基板１４とセンター基板１８ｊへの配線を通すためのアダプタ受け部材配線孔１１ｅが２箇所設けられている。この２つのアダプタ受け部材配線孔１１ｅの端部は、配線が金属材のベース部材配線孔１０ｂに接触しないように、アダプタ受け部配線孔１１ｅの周囲を凸形状としている。これにより、配線が金属材のベース部材配線孔１０ｂに接触することがないので、配線の外的損傷を防ぐことができる。
【００３５】
また、このアダプタ受け部材１１ａは、例えば、ポリカーボネイト（ＰＣ）等の熱可塑性合成樹脂から形成されている。この場合、取付部分１１には、ＬＥＤ照明装置１００の着脱時に大きな力が掛かるために、強度的に強い金属材等により構成されていることが多いが、本発明では、この合成樹脂材から成るアダプタ受け部材１１ａを、金属材により作成されている電源カバー１９の電源カバー内縁部１９ａとベース部材１０のベース部材取付部１０ａで挟んでいるため、強度と軽量化の両方を兼ね備えることができる構造となっている。具体的には、アダプタ受け部材１１ａは、そのアダプタ背面開口部１１ｄを、電源カバー開口部１９ｆに嵌装して、電源カバー開口部１９ｆ側よりアダプタ受け部材固定孔１１ｆにネジを挿通することにより、電源カバー１９に固定される。一方、アダプタ受け部材１１ａは、そのアダプタ前面開口部１１ｃを、ベース部材取付部１０ａに嵌装して、ベース部材取付部１０ａ側よりネジを挿通することにより、ベース部材１０に固定される。これにより、アダプタ受け部材１１ａは、図１０に示すように、電源カバー１９とベース部材１０との間に挟まれる。
【００３６】
また、金属材の電源カバー１９とベース部材１０の間に、合成樹脂材のアダプタ受け部材１１ａを介在することにより、電源カバー内縁部１９ａとベース部材取付部１０ａを作成する金属材の絞り加工による曲げ加工量を抑えることが可能となり、工数とコストの削減も可能とすることができる。
【００３７】
・  −５  センターカバー）
センターカバー１８は、図２及び図３、図１０、図１３乃至図１５に示すように、円盤形状で、特に図１４に示すように、一方面の中心部に円形のセンターカバー開口部１８ｃが開口し、センターカバー開口部１８ｃに対向する他方面にセンターカバー蓋１８ｂが形成されている。取付部分１１とセンターカバー開口部１８ｃは、合わせて嵌装されて、ベース部材１０に固定される。センターカバー１８は、ベース部材１０に取り付けられたセンターカバー本体１８ａに、一方端部がセンターカバーヒンジ部１８ｅで嵌合されて回動できるセンターカバー蓋１８ｂが取付けられて構成されている。センターカバー本体１８ａに、センターカバー蓋１８ｂの他方端で、センターカバーロック部１８ｆをセンターカバー本体１８ａの凹部形状のセンターカバー挿入部１８ｄに挿入して、センターカバー蓋１８ｂが固定される。
【００３８】
また、図１４に示すように、センターカバー本体１８ａのベース部材１０に取付けられる内側や、センターカバー蓋１８ｂの内側には、センターカバーリブ１８ｐが設けられている。センターカバーリブ１８ｐをセンターカバー１８に設けることにより、強度を確保した上での軽量化を、実現することができる。センターカバー本体１８ａとセンターカバー蓋１８ｂとが嵌装する面において、センターカバー本体１８ａ側には凸部が形成されており、センターカバー蓋１８ｂ側のパッキンが挿入されている凹部と嵌装されている。これにより、センターカバー１８から粉塵や虫等がＬＥＤランプ本体１内に侵入するのを防いでいる。
【００３９】
さらに、センターカバー蓋１８ｂの裏面には、図１３及び図１４に示すように、外部からのリモートコントローラ（以下リモコンと略す）の信号を受光するリモコン信号受光部１８ｈと、リモコンからの信号を受光するチャンネルを切換えるためのチャンネルスイッチ１８ｇと、補助光源１８ｋが、一つのセンター基板１８ｊに搭載されて固定されている。センター基板１８ｊに固定されている、リモコン信号受光部１８ｈ、チャンネルスイッチ１８ｇ、補助光源１８ｋは、センターカバー蓋１８ｂの前面に延出している中心部に設けられたチャネル窓１８ｒ、補助光源窓１８ｔ、リモコン信号受光部窓１８ｓに対応するように、センター基板１８ｊに配置されている。
【００４０】
補助光源１８ｋは、センターカバー蓋１８ｂの中央に配設されており、特に常夜灯として使用するときなどにおいて、影が出にくく全面に均一な光を出射することができる。チャンネルスイッチ１８ｇは、例えば同じ部屋において同じ周波数を使用するリモコンがある場合に、他のリモコンの操作により動作してしまう誤動作を防ぐために設けられている。チャンネルスイッチ１８ｇにより、リモコンに使用する周波数を選択して、同じ周波数を使用しないようにする。今回は、チャンネルスイッチ１８ｇにより、リモコンに使用する周波数を選択しているが、リモコンからの操作設定によりリモコンに使用する周波数を選択設定できるようにすることもできる。
【００４１】
また、センター基板１８ｊは、センター基板カバー１８ｎにより、センターカバー蓋１８ｂに固定されている。センター基板１８ｊのセンターコネクタ１８ｍからの配線（図示せず）は、センターカバーヒンジ部１８ｅ近傍のセンターカバー配線孔１８ｑと、アダプタ受け部材配線孔１１ｅと、ベース部材配線孔１０ｂを通り点灯制御部１３に接続されている。これにより、短い配線長により配線が可能になり、配線にかかる負荷も少ない配線とすることができる。
【００４２】
（１．−６  ＬＥＤ基板）
ＬＥＤ基板１４は、図３、図４、図１６、図１７及び図２４に示すように、所定の幅寸法を有した円弧形状の８枚の基板が基板固定台１４ｅに固定されて、基板接続線１４ｂにより、４枚ずつ、つなぎ合わされるように配設されて、全体として略サークル状に形成されている。即ち、本発明においては、ＬＥＤ基板１４は、８枚全ての基板が相互に電気的に接続されるのではなく、４枚ずつで、２つの異なる点灯回路を構成するように、分割して別々に配設されている。
【００４３】
このＬＥＤ基板１４は、片面に配線されたガラスコンポジット基板（ＣＥＨ−３）から成り、片面側にＬＥＤ素子１５と電子部品１４ｄが実装されている。このように分割された基板を用いることにより、基板の分割部分で熱的収縮を吸収して基板の変形を抑制することができる。また、このＬＥＤ基板１４は、特に図２４に示すように、部分的に点灯制御部１３と直交する方向において位置するように、即ち、点灯制御部１３と垂直方向において部分的に重なるように、基板固定台１４ｅを介してベース部材１０に配設されている。このため、ＬＥＤ照明装置１００の直径を小さくして省スペース化によりＬＥＤ照明装置１００をコンパクトにすることができ、コストを低減することができる。
【００４４】
また、このＬＥＤ基板１４には、図４に示すように、ＬＥＤ素子１５が、ベース部材１０の垂直方向中心軸に対し、複数の円周上に配置され、一つの円周上のＬＥＤ素子１５が他の円周上のＬＥＤ素子１５と、千鳥状の関係を構成するように配置されている。それにより、ＬＥＤ基板１４は、透光性カバー３が均一な明るさになる基板を構成し、ベース部材１０に固定されている。ＬＥＤ基板１４のＬＥＤ素子１５が搭載されていない裏面側を、基板固定台１４ｅに固定されて熱的に結合されていることにより、ＬＥＤ基板１４から発生する熱を基板固定台１４ｅにより放熱することが可能となる。これにより、ＬＥＤ素子１５の効率を高めることもできるようになる。なお、ＬＥＤ素子１５のＬＥＤ素子搭載面側に、高反射シートを貼合することや、高反射用樹脂を塗布することにより、さらに光取り出し効率の改善することができる。
【００４５】
ＬＥＤ基板１４は、図１７に示すように、ＬＥＤ素子１５が搭載されていない略サークル形状の中心部側で隣接するＬＥＤ基板１４と基板接続線１４ｂにより接続されている。この場合、ＬＥＤ基板１４は、図３及び図４に示すように、８枚の基板を円環状に配置するが、電気的には、４枚ずつのＬＥＤ基板１４を相互に基板接続線１４ｂにより接続して、２つのグループに分割して配設される。基板接続線１４ｂの両端部は、各基板に半田で接続されＬＥＤ素子１５に駆動用の電気を送っている。このＬＥＤ基板１４の上記２つのグループのうちの１つずつに、即ち、計２つの基板に、点灯制御部１３からの配線を接続する基板コネクタ１４ｃが設けられている。これにより、８枚のＬＥＤ基板１４を４枚ずつ半分に分けて点灯制御部１３と接続することができ、各ＬＥＤ基板のグループ毎に構成される点灯回路毎に別々に、ＬＥＤ素子１５の動作制御を行うことができる。なお、基板コネクタ１４ｃは、中心部側に配置されているので点灯制御部１３から取付部分１１を通っての電源供給が行い易く、ＬＥＤ基板１４内の配線長を最短にできる構成をとることができる。
【００４６】
また、図１７に示すように、ＬＥＤ基板１４の隣接する他のＬＥＤ基板１４と対向する端部の外周側に近い部分に、それぞれのＬＥＤ基板１４に略半円状の基板凹部１４ａが２箇所設けられている。この基板凹部１４ａは、電源カバー１９をベース部材１０に固定するためのネジが、内部側リブ１６ｂに挿入されている部分で、ネジとＬＥＤ基板１４との距離をとることにより、ＬＥＤ基板１４の絶縁延命距離を保つ役割を有する。
【００４７】
（１．−７  ＬＥＤ素子）
なお、このＬＥＤ基板１４に実装されるＬＥＤ素子１５としては、公知の種々のＬＥＤを用いることができる。本実施形態では、照明用の白色光を発光する高輝度タイプのＬＥＤ素子と、昼光色を発光する高輝度タイプのＬＥＤ素子が用いられて、調色が可能なＬＥＤ照明装置の構成となっている。
【００４８】
本発明においては、これらのＬＥＤ素子１５は、上述したように電気的に分割して配設されたＬＥＤ基板１４を介して、点灯制御部１３に別々に接続された２つの異なる点灯回路中に設置されて、この点灯制御部１３により点灯回路毎に各々別々に発光又は調光が制御されている。このため、各点灯回路に対応する部位毎に、独立して別々に発光又は調光を制御することができ、単一の同じ回路において異なる制御をする必要がなくなり、煩雑な処理が不要となる。
【００４９】
具体的には、例えば、１つのＬＥＤ照明装置１００で、半分を点灯、半分を消灯とする制御を行うことにより、モニターにより映画などを鑑賞するときに、モニター側に位置するＬＥＤ素子１５を消灯して暗くし、視聴者側に位置するＬＥＤ素子１５を点灯させて明るく設定することができ、多角的な照明を行うことができる。加えて、各点灯回路に対応する部位毎に調光、調色の動作制御を別々に行うこともでき、例えば、上述した視聴者側に位置する点灯状態のＬＥＤ素子１５のみについて、発光色や明るさを好みに合わせて設定することができ、活用範囲が広いＬＥＤ照明装置１００とすることができる。
【００５０】
このため、ＬＥＤ素子１５の配列も、この調光又は調色の制御を考慮して決定し、例えば、一方の点灯回路におけるＬＥＤ素子１５は昼光色、他方は白色等の配列の他、全ての点灯回路毎に、昼光色や白色のＬＥＤ素子１５を規則的に混在して配置して、いずれか一方の色のＬＥＤ素子１５のみを発光させるように設定することもできる。
【００５１】
・  −８  保護カバー）
保護カバー２０は、図２乃至図４、図１８及び図１９に示すように、２つのＬＥＤ基板１４を一つの保護カバー２０で覆うような円弧形状で作成されており、保護カバー２０を４個組み合わせて、８枚のＬＥＤ基板１４を覆うように構成され、全体として略サークル状に形成されてベース部材１０に配設される。
【００５２】
保護カバー２０は、図１８及び図１９に示すように、円弧形状で、円弧の外周部である保護カバー外周部２０ｂと、内周部である保護カバー内周部２０ａと、円弧の円周方向における両端部に設けられた他の保護カバー２０と接続する保護カバー挿入端部２０ｃ、保護カバー受け端部２０ｄの部分からなる。この保護カバー挿入端部２０ｃを、隣接する保護カバーの保護カバー受け端部２０ｄに、挿入することにより、４個の保護カバー２０を用いて略サークル状に構成できる。保護カバー外周部２０ｂは、ベース部材１０の前面の周縁部側リブ１６ｃの凹形状と嵌装させることにより隙間をなくして、保護カバー固定孔２０ｅによりベース部材１０に固定される。保護カバー内周部２０ａは、保護カバー固定孔２０ｅにより基板固定台１４ｅに固定される。
【００５３】
この保護カバー２０によりＬＥＤ素子１５が保護されて、ＬＥＤ照明装置１００をアダプタ６に取り付けるときに、作業者の安全を確保でき、さらにＬＥＤ素子１５を接触による破損から保護することが可能となる。また、保護カバー２０は、互いに嵌装させて構成しているうえに、基板固定台１４ｅとも嵌装して固定されているので、ＬＥＤ素子１５に、粉塵や虫等が侵入するのを防ぐ効果も併せて生じさせることができる。さらに、同様の効果を維持させるために、保護カバー２０内にＬＥＤ基板１４のための配線を行うときには、配線にスポンジを巻いて保護カバー２０との隙間を埋める処置が施されている。
【００５４】
また、この保護カバー２０は、０．８ｍｍの厚さのポリプロピレン（ＰＰ）等の熱可塑性合成樹脂で作成されており、形状が保護カバーの断面曲線を少なくとも１回微分した値の微分曲線が連続する微分曲面から形成されている。これにより、保護カバー２０の断面の屈折率の相違により保護カバー２０を透過したＬＥＤ素子１５からの出射光の分布に不均一が生じて、ＬＥＤ素子１５からの出射光が透光性カバー２０を透過する際に低照度部分が発生しないようにすることができる。また、保護カバー２０には、低照度による稜線状の影が生じないように形成されている。この保護カバー２０は、透光性カバー３の１．２ｍｍの厚さに比較して薄く作成されて、出射光の減衰を少なくなるようにしている。
【００５５】
（１．−９  ＬＥＤランプ本体の組付）
上述したＬＥＤランプ本体１を構成するベース部材１０、電源カバー１９、点灯制御部１３、センターカバー１８、基板固定台１４ｅ、ＬＥＤ基板１４、保護カバー２０の相互の位置関係について、図２４を参照しながら説明する。まず、図２４に示すように、ベース部材１０の背面側に円環状の電源カバー１９に配設された点灯制御部１３が、取付部分１１を囲むように配設されている。ベース部材１０の前面側に８枚の円弧状のＬＥＤ基板１４が、取付部分１１を囲むように配設されて、さらにそのＬＥＤ基板１４を覆うように４枚の透明の保護カバー２０が配設されている。ベース部材１０の前面側に、取付部分１１を覆うようにセンターカバー１８が取り付けられている。ＬＥＤ基板１４は、点灯制御部１３と垂直方向において部分的に重なるように基板固定台１４ｅを介してベース部材１０に配設されている。これらにより、本発明のＬＥＤ照明装置１００は、省スペース化することが可能になり、コンパクト化することができ、コスト的にも削減することが可能となる。この場合、図示の実施の形態では、図２に示すように、４枚のＬＥＤ基板１４を単位として、ＬＥＤ素子１５の動作制御を行うので、制御する部分を明示するために、組付けるときにそのＬＥＤ基板１４の単位の境に合わせて、透光性カバー３の外側外縁に、後述する仕切り板３２が設けられている位置を示す位置決め用の方向判別印８を付すと共に、ベース部材１０にも、点灯回路毎に各々別々に発光又は調光が制御されている部位の区分けの境界（即ち、別々に制御されるＬＥＤ基板１４の単位の境）を示し、透光性カバー３に設けられた位置決め用の方向判別印８を付合させるべき位置決め用の方向判別印８を設けることが望ましい（図２において、明示が難しいため方向判別印８を９０度回転させて表示している）。これにより、ＬＥＤ照明装置１００を、簡易に、かつ、適正に設置することができる。
【００５６】
（２．透光性カバー）
図２乃至図３に示されるように、透光性カバー３は、枠体４を介してベース部材１０に嵌合されて、ＬＥＤランプ本体１を覆っている。ベース部材１０と透光性カバー３の嵌合の間に、枠体４という部材を介することにより、金属材であるベース部材１０の寸法を小さくして、その分の寸法を合成樹脂材である枠体４により補っている。よって、透光性カバー３の外形は、ベース部材１０の外形よりも大きく構成されている。これにより、重量とコストを削減しても、同様の範囲を全面均一に照射することができるＬＥＤ照明装置１００とすることが可能となる。本実施形態では、枠体４を介して透光性カバー３を配設したが、透光性カバー３自体の外形を大きくして、ベース部材１０と固定する部分を内側に設ける形状とすることにより、対応することもできる。
【００５７】
図２０乃至図２１に示されるように、枠体４は、ＬＥＤランプ本体１の外縁を延出するようにベース部材１０に着脱可能に取付けられるようになっている。具体的には、枠体４を回動することによって、図４に示すように、ベース部材１０に設けられた枠体取付具１０ｃに、枠体４のベース取付部４１を係合することにより取付けられる。図２及び図２４に示すように、枠体４と、ベース部材１０の周縁部は、端部同士に隙間が出ないように固定されている。この枠体４は、汎用ポリスチレン（ＧＰＰＳ）等の熱可塑性合成樹脂を使用して、略円環状に成型されている。枠体４の外縁に設けられた枠の環４３には、環状に凹凸を付けて光が拡散するように加工されている。
【００５８】
この透光性カバー３は、図１、図２２乃至図２３に示されるように、ＬＥＤランプ本体１の前面側（天井面５に取り付けた場合の床面側）を覆うように枠体４の外周縁部に着脱可能に取付けられるようになっている。この場合、図２及び図２３、図２４に示すように、この透光性カバー３の内側に光を透過しない仕切り板３２が、ベース部材１０に対して垂直に、ベース部材１０よりも前面側（天井面５に取り付けた場合の床面側）において、透光性カバー３の中心線に沿って設けられている。この仕切り板３２は、各点灯回路毎に各々別々に発光又は調光が制御されている部位を区分するように配置される。従って、この仕切り板３２は、各点灯回路に対応する部位におけるＬＥＤ素子１５の発光を相互に干渉させない役割を有し、ＬＥＤ照明装置１００の各点灯回路に対応する点灯部分毎におけるＬＥＤ素子１５の点滅動作の効果を向上させることができる。
【００５９】
また、この仕切り板３２は、図２３に示すように、両端が透光性カバー３の内周面に接続されて、図２及び図２４に示すように、透光性カバー３の光出射面、即ち、ＬＥＤ照明装置１００を天井面５に設置した場合における床面側において、透光性カバー３から離反して配置されると共に、背面側において、ＬＥＤランプ本体１とも接触しないように形成されている。これにより、光射出面側から見た場合において、各点灯回路に対応する点灯部分毎の点滅動作時に透光性カバー３に点滅部分の区切りをぼやかし、境界線が影として出るのを抑制して自然な発光を確保することができ、ＬＥＤ照明装置１００の半分毎の制御動作の効果を向上させることができる。
【００６０】
また、図２に示すように、透光性カバー３の内周面のうち、仕切り板３２が設けられている部分に対応する周縁部の外側に、位置決め用の方向判別印８を付けてＬＥＤランプ本体１と嵌合させて、ＬＥＤ照明装置１００とするときの目印とする（図２において、明示が難しいため方向判別印８を９０度回転させて表示している）。これにより、ＬＥＤ照明装置１００を天井面５に設置する際に、各点灯回路に対応する点灯部分毎に設定された点灯動作に応じて、ＬＥＤ照明装置１００を、好みの方向に向けて適切に設置することができる。
【００６１】
具体的には、透光性カバー３を回動することによって、図２２に示す透光性カバー３に設けられた枠体取付部３１を、図２０及び図２１に示す枠体４の外周縁部に設けられたカバー取付具４２に係合することにより取付けられる。なお、この透光性カバー３の周縁部と枠体４とは、図２、図２４に示すように、端部同士に隙間が出ないように固定されている。これにより、ベース部材１０と枠体４と透光性カバー３の間が密閉されて、ＬＥＤ照明装置１００に粉塵や虫等の侵入を防ぐ効果も合わせて生じさせることができる。
【００６２】
透光性カバー３は、厚さ１．２ｍｍのポリプロピレン（ＰＰ）等の熱可塑性合成樹脂を使用して、図１に示すように、円形のドーム形状に成型されている。また、透光性カバー３は、透光性カバー３を連続した曲面形状にすることや、透光性カバー３に高密度となる光拡散面を形成するシボ加工を施したり、材料に拡散剤を含有させたりして、さらに全面で均一に光らせることができる。透光性カバー３は、保護カバー２０の厚さ０．８ｍｍに比較して厚く作成されて、出射光を光拡散して全面で均一に光らせるようにしている。また、透光性カバー３は、ポリプロピレン（ＰＰ）から形成されており、赤外線を透過することができるので、透光性カバー３内のセンターカバー１８に設けられているリモコン信号受光部１８ｈに通信用の赤外線が到達することができる。
【００６３】
本発明のＬＥＤ照明装置１００においては、点灯制御部１３を配設した電源カバー１９をベース部材１０の背面に配設しているので、ＬＥＤ基板１４は、ＬＥＤ基板１４と透光性カバー３の中心部との距離、透光性カバー３の周縁部との距離を均等にして、ＬＥＤ基板１４を基板固定台１４ｅを介してベース部材１０に配設することが可能となり、透光性カバー３を全面で均一に光らせることができる。
【００６４】
（３．ＬＥＤ照明装置の組付）
ＬＥＤランプ本体１を、天井面５の配線器具７に取付けたアダプタ６に、動作制御させる向きを方向判別印８により確認して、押圧して取り付ける。その後、枠体４をベース部材１０の枠体取付具１０ｃに回動させて取り付ける。さらに、枠体４に透光性カバー３の方向性判別印８を、ベース部材１０外縁に付けられた方向性判別印８と合わせて、取り付ける。この組付により、ＬＥＤ照明装置１００が完成し、各点灯回路に対応する部位毎に、独立して別々にＬＥＤ素子１５の発光又は調光を制御することができるシーリングライトとなる。
【００６５】
（４．その他）
以上のように、本実施形態では、各点灯回路に対応する部位毎に、独立して別々にＬＥＤ素子１５の発光又は調光が制御されている。これによって本発明のＬＥＤ照明装置１００は、１台のＬＥＤ照明装置１００で複数のＬＥＤ照明装置を設置したと同様な多角的な照明を行うことが可能となり、多角的な照明効果を得るために複数の異なるＬＥＤ照明装置を設置する場合に比べて設置し易く、異なる複数のＬＥＤ照明装置を設置又は製造する工数とコストの削減と、省エネ化を実現することができ、良好な意匠性を示している。なお、図示の実施の形態では、ＬＥＤランプ本体１の形状を円筒形にしたが、これに限定されず断面が４角形等からなる扁平な多角柱であってもよい。また、本実施形態では、全面発光タイプのＬＥＤ照明装置にしたが、これに限定されずセンターキャップを有するＬＥＤ照明装置１００に変形して適用してもよい。さらに、各点灯回路に対応する部位は、２分割に限られず、複数の部分に分割して実施してもよく、これらの動作制御は、リモコン等により実施される。
【００６６】
＜第２の実施の形態＞
次に、本発明の第２の実施の形態について、図２５乃至図３６を用いて説明する。この第２の実施の形態は、モジュール照明において、特に図２５に示すように、ＬＥＤ素子５２６を半分毎に分けて動作を制御する例である。但し、動作制御の単位は必ずしも、半分に限定されるものではなく、必要に応じて、他の３分割や、４分割等の必要な単位で行うことができ、また、図２５に示すように、長方形状の分割ではなく、直線状等の他の形状に分割することもできる。
【００６７】
図２５乃至図２７は、本発明のＬＥＤ照明装置５００の第２の実施の形態を示し、この第２の実施の形態におけるＬＥＤ照明装置５００は、図２５に示すように、発光ユニット５２を発光ユニットＡ部５２ａと発光ユニットＢ部５２ｂに分けて、半分毎に動作が制御されている。このＬＥＤ照明装置５００は、図２５乃至図２７に示すように、被取付面である天井面５８に取り付けられる器具本体５１と、この器具本体５１に装着される発光ユニット５２とを備えた照明器具５１０から成っている。このＬＥＤ照明装置５００は、図２５乃至図２７に示すように、天井面５８から出ている吊りボルト５６に器具本体５１が下方に開口してナット５７で止められ、器具本体５１に発光ユニット５２が開放側から着脱自在に装着される。器具本体５１に、外部電源線（Ｆケーブル）５５が接続され、ＬＥＤ照明装置５００は、モジュール照明として使用可能となる。
【００６８】
（１．器具本体）  
器具本体５１は、ステンレス板を使用して、打抜加工、プレス加工、折曲加工によって作成されて、塗装されている。図２５乃至図２７に示すように、器具本体５１は直方体で一方が開口された形状で、中心部に円形の電源用孔５１３が開口し、電源用孔５１３と器具本体５１の両端部の間に取付け孔５１４が２ヶ所形成されている。また、器具本体５１の開放側反対面の天井面５８に接する面に、複数の凸部を設けて天井面５８の凹凸を吸収する構造となっている。
【００６９】
この器具本体５１は、図２５乃至図２８に示すように、天井面５８から出ている吊りボルト５６に取付け孔５１４を挿入して、ナット５７により天井面５８に仮止めされる。さらに、天井面５８から出ている外部電源線５５を器具本体５１の電源用孔５１３を通して器具本体５１の内側に引き込んで、器具本体５１の送り端子付速結端子５１１に挿入して接続される。その後、吊りボルト５６のナット５７を締めることにより、位置決めされた状態で器具本体５１を天井面５８に固定することができる。なお、器具本体５１の内部側壁には、図２８に示すように、発光ユニット５２を開口側で装着させるためのＶ字バネ５３０を挟持する一対のバネ受け５１２が２組設けられている。
【００７０】
また、器具本体５１には、特に図２５に示すように、後述する連結治具５４の係止部５４３、５４４が挿入される嵌合孔５１５が形成されている。この嵌合孔５１５は、図  ２５に示すように、器具本体５１の上面において器具本体５１の長手方向に延びる一対の長方形状に形成されている。また、嵌合孔５１５は、図２５に示すように、隣り合う他の照明器具５１０の端面又は側面付近に位置する器具本体５１の長手方向における両端部に設けられている。複数の器具本体５１は、連結する複数の器具本体５１の嵌合孔５１５に、連結治具５４を挿入することにより、相互に適正な位置に位置決めして連結することができる。
【００７１】
（２．発光ユニット）
発光ユニット５２は、図２６及び図２７に示すように、複数のＬＥＤ素子５２６が実装されたＬＥＤ基板５２４と、ＬＥＤ素子５２６を点灯させる点灯制御部５２８とを配設したベース部材５２３と、このベース部材５２３に取り付けられる透光性カバー５２１とを有している。より具体的には、発光ユニット５２は、図２６に示すように、光源であるＬＥＤ素子５２６が搭載されている略長方形状であるＬＥＤ基板５２４の裏面をベース部材５２３の下方に設置し、ベース部材５２３の上方にＬＥＤ素子５２６用の点灯制御部５２８を設置する。ＬＥＤ基板５２４とベース部材５２３を覆うように配置された透光性カバー５２１により発光ユニット５２として一体化される。
【００７２】
この発光ユニット５２は、図２８に示すように、バネ受け５１２に復元力により係合するバネにより器具本体５１に取り付けられる。このバネは、具体的には、図２６乃至図２８に示す実施の形態においては、Ｖ字バネ固定部品５３１に固定されたＶ字バネ５３０から成っている。これらの器具本体５１と装着するためのＶ字バネ５３０とＶ字バネ固定部品５３１は、透光性カバー５２１の上面に配設されている。この発光ユニット５２は、このＶ字バネ５３０により、器具本体５１に着脱自在に取り付けられている。
【００７３】
この発光ユニット５２は、このＶ字バネ固定部品５３１により位置決めされながら器具本体５１に装着される。具体的には、このＶ字バネ５３０は、図２６乃至図２９に示すように、ベース部材５２３に固定されているＶ字バネ固定部品５３１に取付けられている。器具本体５１と発光ユニット５２を固定するときには、器具本体５１の長辺開口部端面５１ａと、発光ユニット５２におけるＶ字バネ固定部品５３１の外側面５３１ａが接することにより、発光ユニット５２の短手方向の位置決めを行いながら固定する。発光ユニット５２を円滑に器具本体５１に装着できるように、Ｖ字バネ固定部品５３１の外側面５３１ａは、上方が内側に傾斜している形状になっている。これにより器具本体５１と発光ユニット５２の短手方向が、正確に位置決めすることができ、均一に光を照射することができる。
【００７４】
ＬＥＤ基板５２４は、片面に銅箔が貼られたガラスコンポジット基板（ＣＥＭ−３）から成り、片側にＬＥＤ素子５２６と電子部品とが実装されている。ベース部材５２３は、アルミを使用して、押出成形による一体成形で作成されている。器具本体５１の送り端子付速結端子５１１から、電源線を点灯制御部５２８に結線し、点灯制御部５２８の出力をＬＥＤ基板５２４に結線することにより、ＬＥＤ照明装置５００を構成する。
【００７５】
（２．−１  ＬＥＤ基板）
ＬＥＤ基板５２４は、図２７に示すように、複数のＬＥＤ基板単体５２４ａ、５２４ｂを組み合わせて成っている。より具体的には、ＬＥＤ基板５２４は、図２７に示すように、長方形の形状である第１のＬＥＤ基板単体５２４ａと、第２のＬＥＤ基板単体５２４ｂとから成り、この第１のＬＥＤ基板単体５２４ａと第２のＬＥＤ基板単体５２４ｂとが長手方向に連続して配置されるように、両者の端面同士を対向させて配置されている。
【００７６】
この場合、第１のＬＥＤ基板単体５２４ａと、第２のＬＥＤ基板単体５２４ｂは、図２７に示すように、同一の形状を有し、これを１８０°転回して対称に配置して、ＬＥＤ基板５２４を構成している。このように、同一の形状のＬＥＤ基板単体５２４ａ、５２４ｂを使用することにより、単一の形状のＬＥＤ基板単体５２４ａ、５２４ｂのみを用意して、単にこれを組み合わせれば足りるため、ＬＥＤ基板単体５２４ａ、５２４ｂの製造コストを低減することができる。
【００７７】
また、これらのＬＥＤ基板単体５２４ａ、５２４ｂには、図２７に示すように、端面の一部を切り欠いて形成されたＬＥＤ基板の凹部５２４ｃ、５２４ｄが形成されている。より具体的には、図２７に示すように、ＬＥＤ基板単体５２４ａ、５２４ｂの一方の端面の中央部分に略半円形状に形成された第１のＬＥＤ基板の凹部５２４ｃと、第２のＬＥＤ基板の凹部５２４ｄが設けられている。
【００７８】
複数のＬＥＤ基板単体５２４ａ、５２４ｂは、図２７に示すように、隣り合うＬＥＤ基板単体５２４ａ、５２４ｂとの間で、これらのＬＥＤ基板の凹部５２４ｃ、５２４ｄ同士を対向して配置されることにより、隣り合うＬＥＤ基板単体５２４ａ、５２４ｂとの間で、これらのＬＥＤ基板の凹部５２４ｃ、５２４ｄから成る配線貫通孔を形成する。点灯制御部５２８から直流電力をＬＥＤ基板５２４に供給するための電線は、この配線貫通孔を通じて配線される。なお、このように、複数のＬＥＤ基板単体５２４ａ、５２４ｂ間で、ＬＥＤ基板の凹部５２４ｃ、５２４ｄにより配線貫通孔を形成する場合においても、同一の形状を有するＬＥＤ基板単体５２４ａ、５２４ｂを１８０°転回して対称に配置するだけで対応することができる。
【００７９】
点灯制御部５２８からの配線は、ＬＥＤ基板単体５２４ａ、５２４ｂのそれぞれに別々に接続される。これにより、ＬＥＤ基板５２４を１枚ずつ半分に分けて点灯制御部５２８と接続することができ、各ＬＥＤ基板単体５２４ａ、５２４ｂ毎に構成される点灯回路毎に別々に、ＬＥＤ素子１５の動作制御を行うことができる。即ち、本発明においては、ＬＥＤ基板単体５２４ａ、５２４ｂが相互に電気的に接続されるのではなく、各々別々に２つの異なる点灯回路を構成するように、分割して別々に配設されている。
【００８０】
また、各ＬＥＤ基板単体５２４ａ、５２４ｂのＬＥＤ基板の凹部５２４ｃ、５２４ｄの両側には、点灯制御部５２８からの電線を各ＬＥＤ基板単体５２４ａ、５２４ｂに固定するためのＬＥＤ基板端子が設けられている。
【００８１】
これらの各ＬＥＤ基板単体５２４ａ、５２４ｂに実装された複数のＬＥＤ素子５２６間の間隔と、隣り合うＬＥＤ基板単体５２４ａ、５２４ｂのＬＥＤ素子５２６間の間隔が略等しく形成されている。このため、複数のＬＥＤ基板単体５２４ａ、５２４ｂを連続して配置しても、全てのＬＥＤ基板単体５２４ａ、５２４ｂ間でＬＥＤ素子５２６が均等に配置され、ＬＥＤ基板単体５２４ａ、５２４ｂ間の区切りを意識させない程度に連続して発光させて、光を均一に照射することができる。
【００８２】
この場合、ＬＥＤ基板単体５２４ａ、５２４ｂは、各ＬＥＤ基板単体５２４ａ、５２４ｂにおける複数のＬＥＤ素子５２６間の間隔ｂを、他のＬＥＤ基板単体５２４ａ、５２４ｂと対向する端面から最も近いＬＥＤ素子５２６までの間隔ａよりも大きく形成することにより、隣り合うＬＥＤ基板単体５２４ａ、５２４ｂのＬＥＤ素子５２６間の間隔を略等しく形成することができる。
【００８３】
具体的には、ＬＥＤ基板５２４に実装されているＬＥＤ素子５２６は、図示の実施の形態では、図２６に示すように、ＬＥＤ基板５２４の長手方向に４列で整列して配置されており、各ＬＥＤ基板単体５２４ａ、５２４ｂの他のＬＥＤ基板単体５２４ａ、５２４ｂと対向する端面から最も近い列のＬＥＤ素子５２６までの間隔ａより、各ＬＥＤ基板単体５２４ａ、５２４ｂにおける複数のＬＥＤ素子５２６間の間隔ｂの方が大きく設定されている（ａ＜ｂ）。
【００８４】
このように、ａ＜ｂとする場合において、他のＬＥＤ基板単体５２４ａ、５２４ｂの端面から最も近いＬＥＤ素子５２６までの間隔ａを、各ＬＥＤ基板単体５２４ａ、５２４ｂにおける複数のＬＥＤ素子５２６間の間隔ｂの１／２となるように設定して、それぞれの列のＬＥＤ素子５２６間を略等間隔とするのが、望ましいということができる。これにより、複数のＬＥＤ基板単体５２４ａ、５２４ｂを連続して配置しても、全てのＬＥＤ基板単体５２４ａ、５２４ｂ間でＬＥＤ素子５２６が均等に配置され、ＬＥＤ基板単体５２４ａ、５２４ｂ間の区切りを意識させない程度に連続して発光して、透光性カバー５２１が均一な明るさとなり、更に、本発明のＬＥＤ照明装置５００を、複数連結して使用する場合においても、各ＬＥＤ照明装置５００間において、同様の効果を得ることが可能となる。なお、複数のＬＥＤ基板単体５２４ａ、５２４ｂ間に若干の間隙を形成する場合には、それをも考慮して、ＬＥＤ素子５２６の配列を設定する。
【００８５】
なお、ＬＥＤ基板５２４のうち、ＬＥＤ素子５２６の実装面側に、高反射シートを貼合することや、高反射用樹脂を塗布することにより、光取り出し効率を向上させることができる。また、このＬＥＤ基板５２４に実装されるＬＥＤ素子５２６としては、公知の種々のＬＥＤ素子や、有機ＥＬ素子等を用いることができる。図示の実施の形態では、照明用の白色光を発光する高輝度タイプのＬＥＤ素子が用いられている。
【００８６】
（２．−２  ＬＥＤ基板配線）
ＬＥＤ基板５２４には、複数のＬＥＤ素子５２６が実装されて、各ＬＥＤ素子５２６を光らせるための配線がされている。この場合、ＬＥＤ基板５２４に実装されたＬＥＤ素子５２６の２つの端子に接続される基板配線の面積が、第１の端子に接続される第１の基板配線と第２の端子に接続される第２の基板配線とで異なるように設定する。
【００８７】
これは、ＬＥＤ素子５２６は光出射するときに、発熱するために放熱を行う必要が生じるため、基板配線の配線面積を大きくして、少しでも多くの放熱を行う必要がある。この場合、端子からの放熱量は、ＬＥＤ素子５２６の端子配線面積により変わってくるので、実装するＬＥＤ素子５２６の仕様に合わせて端子配線面積を変えて放熱量を最適にすることにより、ＬＥＤ素子５２６の効率を改善するためである。これにより、各端子毎に適した基板配線の面積を確保することにより、各ＬＥＤ素子５２６の性能に応じた放熱量を確保して、発光効率の低下を抑制して、複数のＬＥＤ素子５２６間やＬＥＤ基板単体５２４ａ、５２４ｂ間で、光の均一な照射を確保することができる。従って、この基板配線の面積は、実装されるＬＥＤ素子５２６毎に、性能に応じて設定する。
【００８８】
（２．−３  ＬＥＤ素子）
なお、ＬＥＤ基板５２４に実装されるＬＥＤ素子５２６としては、公知の種々のＬＥＤを用いることができる。本実施形態では、照明用の白色光を発光する高輝度タイプのＬＥＤ素子と、昼光色を発光する高輝度タイプのＬＥＤ素子が用いられて、調色が可能なＬＥＤ照明装置５００の構成となっている。
【００８９】
本発明においては、これらのＬＥＤ素子５２６は、上述したように電気的に分割して配設されたＬＥＤ基板５２４を介して、点灯制御部５２８に別々に接続された２つの異なる点灯回路中に設置されて、この点灯制御部５２８により点灯回路毎に各々別々に発光又は調光が制御されている。このため、各点灯回路に対応する部位毎に、独立して別々に発光又は調光を制御することができ、単一の同じ回路において異なる制御をする必要がなくなり、煩雑な処理が不要となる。
【００９０】
具体的には、例えば、１つのＬＥＤ照明装置５００で、半分を点灯、半分を消灯とする制御を行うことにより、不要な照明装置の点灯をこまめに制御することが可能となり、多角的で経済的な照明を行うことができる。加えて、各点灯回路に対応する部位毎に調光、調色の動作制御を別々に行うこともでき、例えば、点灯状態の一部分のＬＥＤ素子５２６のみについて、発光色や明るさを好みに合わせて設定することができ、活用範囲が広いＬＥＤ照明装置５００とすることができる。
【００９１】
このため、ＬＥＤ素子５２６の配列も、この調光又は調色の制御を考慮して決定し、例えば、一方の点灯回路におけるＬＥＤ素子５２６は昼光色、他方は白色等の配列の他、全ての点灯回路毎に、昼光色や白色のＬＥＤ素子５２６を規則的に混在して配置して、いずれか一方の色のＬＥＤ素子５２６のみを発光させるように設定することもできる。
【００９２】
（２．−４  ベース部材）
ベース部材５２３は、アルミニウムの押出成形によって一体に成形されている。このため、プレス加工等する場合に比べて、容易な作業で、複雑な形状に成形することができる。
【００９３】
本発明においては、特に図２６に示すように、このベース部材５２３の上方に点灯制御部５２８が、下方にＬＥＤ基板５２４が固定されて、放熱を行える構造となっている。即ち、ベース部材５２３は、放熱板としての役割をも有する。この場合、点灯制御部５２８は、図２６に示すように、ベース部材５２３との間に空間を設けて、ベース部材５２３に配設されている。より具体的には、図３０及び図３１に示すように、ベース部材５２３の短手方向(幅方向)の中央部において、ＬＥＤ基板５２４を固定する基板部５２３ａの上方に間隔を隔てて点灯制御部５２８を搭載する電源台５２３ｂが設けられている。これにより、電源台５２３ｂの下方と基板部５２３ａの間には、十分な放熱効果を得るために、空間が設けられた構造となっている。このベース部材５２３の構造により、点灯制御部５２８やベース部材５２３は、この空間にも放熱して放熱効率を高めることができ、ベース部材５２３に搭載されているＬＥＤ基板５２４と点灯制御部５２８は、十分な放熱効果を発揮することができ、点灯制御部５２８とベース部材５２３との間で熱がこもって発光効率が低下するのを防止することができる。
【００９４】
また、その空間を設けるためのベース部材５２３の構造を利用して、図３１に示すように、ベース部材５２３の下方にＬＥＤ基板５２４をネジ５２９により固定するために、ＬＥＤ基板５２４の固定孔に合わせてベース部材５２３に第１のネジ５２９ａを挿入する第１の溝部５２３ｄが設けられている。この第１の溝部５２３ｄは、アルミニウムにより一体に成形されているので、ステンレス製の第１のネジ５２９ａを用いることにより、予め又は新たにネジ溝を設けることなく、第１のネジ５２９ａを圧入することで、ベース部材５２３にネジ溝を形成しながらＬＥＤ基板５２４をベース部材５２３に固定している。これにより、この第１の溝部５２３ｄに第１のネジ５２９ａを回し込みながら圧入していくだけで同時にネジ溝も形成されていくため、ベース部材５２３に予め又は設置時に新たにネジ溝を形成しておくことなく、ＬＥＤ基板５２４をベース部材５２３に固定することができ、簡易な構造で、製造のコストと手間を削減することができる。
【００９５】
更に、このベース部材５２３は、特に図３０に示すように、位置調整部品５３５を有し、発光ユニット５２は、この位置調整部品５３５により位置決めされながら器具本体５１に装着されている。より具体的には、図３０に示すように、器具本体５１と発光ユニット５２を固定するときに用いる、長さ方向の位置決めを行うＬ字形状の位置調整部品５３５が、ベース部材５２３の長さ方向両端面で、ステンレス製等の第２のネジ５２９ｂを第２の溝部５２３ｅにねじ込んで取り付けられている。この第２の溝部５２３ｅは、ベース部材５２３のアルミニウムにより一体で作成されているので、ステンレス製等の第２のネジ５２９ｂを用いることにより、予め又は新たにネジ溝を設けることなく、第２のネジ５２９ｂをねじ込むことで、ベース部材５２３にネジ溝を形成しながら位置調整部品５３５をベース部材５２３に固定している。これにより、部品コストと工数の低減を図ることができる。そして、この位置調整部品５３５が、器具本体５１の短辺開口部端面５１ｂと接することにより、発光ユニット５２の長さ方向の位置決めを行いながら固定する。これにより器具本体５１と発光ユニット５２の長さ方向が、正確に位置決めすることができ、全面から均一に光を照射することができる。
【００９６】
さらに、ベース部材５２３の上部には、図３１に示すように、透光性カバー５２１の端部が挿入されるカバー挿入部５２３ｃが設けられ、このカバー挿入部５２３ｃを介して、透光性カバー５２１をベース部材５２３に取り付けることにより、透光性カバー５２１によってベース部材５２３を覆い、発光ユニット５２を構成している。
【００９７】
（２．−５  透光性カバー）
透光性カバー５２１は、図３２及び図３３に示すように、ポリカーボネート（ＰＰ）等を使用して、断面が略ロ字形状に押出成形によって一体に成形されている。このため、プレス加工等する場合に比べて、容易な作業で、複雑な形状に成形することができる。
【００９８】
この透光性カバー５２１は、その上部を、図２６に示すように、下方にＬＥＤ基板５２４を配設したベース部材５２３のカバー挿入部５２３ｃに透光性カバー５２１のベース部材挿入部５２１ｂを合わせて、ベース部材５２３に透光性カバー５２１のベース部材受部５２１ｃを挿入することにより、器具本体５１に装着される。この場合、透光性カバー５２１は、その弾性変形力によりベース部材５２３に固定される。即ち、透光性カバー５２１は、自由状態において、若干、内側へ撓むようにして形成され、ベース部材挿入部５２１ｂを拡張しながら、カバー挿入部５２３ｃに挿入されることにより、弾性変形による復元力によって、ベース部材５２３を挟み込むことができる。このため、透光性カバー５２１をベース部材５２３に挿入するだけで、簡単に、かつ、安定的にベース部材５２３に装着して固定することができる。
【００９９】
この場合、図２５、図２６及び図３３に示されるように、この透光性カバー５２１の内側に光を透過しない仕切り板５２１ｄが、ベース部材５２３と垂直に、ベース部材５２３よりも前面側（天井面５８に取り付けた場合の床面側：前面側）において、透光性カバー３の幅方向における中心線に沿って設けられている。この仕切り板５２１ｄは、各点灯回路毎に各々別々に発光又は調光が制御されている部位を区分するように配置される。従って、この仕切り板５２１ｄは、各点灯回路に対応する部位におけるＬＥＤ素子５２６の発光を相互に干渉させない役割を有し、ＬＥＤ照明装置５００の各点灯回路に対応する点灯部分毎におけるＬＥＤ素子５２６の点滅動作の効果を向上させることができる。
【０１００】
また、この仕切り板５２１ｄは、図２６及び図３３に示すように、透光性カバー５２１の光出射面、即ち、ＬＥＤ照明装置５００を天井面５に設置した場合における床面側において、透光性カバー５２１の平面部５２１ａと離れて、ＬＥＤ基板５２４と接触しないように形成されて、第１のＬＥＤ基板単体５２４ａと第２のＬＥＤ基板単体５２４ｂ間の位置に配置される。図示の実施の形態では、図２５に示すように、ＬＥＤ照明装置５００を、２つの部分に分けて動作制御するので、長辺方向の半分となる第１のＬＥＤ基板単体５２４ａと第２のＬＥＤ基板単体５２４ｂ間の位置に配置される。これにより、光射出面側から見た場合において、各点灯回路に対応する点灯部分毎の点滅動作時に透光性カバー５２１に点滅部分の区切りをぼやかし、境界線が影として出るのを抑制して自然な発光を確保することができ、ＬＥＤ照明装置５００の半分毎の制御動作の効果を向上させることができる。
【０１０１】
また、図２７に示すように、透光性カバー５２１の長辺部の外側に、仕切り板５２１ｄが設けられている位置を示す方向判別印５９を付すと共に、器具本体５１にも、点灯回路毎に各々別々に発光又は調光が制御されている部位の区分けの境界（即ち、別々に制御される２つのＬＥＤ基板単体５２４ａ、５２４ｂ間の境）を示し、透光性カバー５２１に設けられた位置決め用の方向判別印５９を付合させるべき位置決め用の方向判別印５９を設けて、照明器具５１０を天井面５８に設置するときに、制御を行う側を考えて設置することができる。これにより、ＬＥＤ照明装置５００を天井面５８に設置する際に、各点灯回路に対応する点灯部分毎に設定された点灯動作に応じて、ＬＥＤ照明装置５００を、好みの方向に向けて適切に設置することができる。
【０１０２】
また、この透光性カバー５２１の端部を、図３２に示すように、端部透光性カバー５２２で覆うことにより、透光性カバー５２１で反射された光が拡散反射され、これが繰り返されて、端部透光性カバー５２２まで光が達する。これによって、透光性カバー５２１と端部透光性カバー５２２の全面を光らせることができ、光源として均一に光を照射することができる。
【０１０３】
また、透光性カバーの両端部に設置される端部透光性カバー５２２は、ガイド部５２２ｃにより透光性カバー５２１の端部と嵌装させる。端部透光性カバー５２２の厚さは、透光性カバーの両端部と接する外縁部５２２ｂを、中央の中央部５２２ａより薄くしていることにより、透光性カバー５２１と端部透光性カバー５２２の全面においても、ＬＥＤ素子５２６からの光を均一に照射することが可能となっている。
【０１０４】
本発明においては、この光ユニット５２のＬＥＤ素子５２６と透光性カバー５２１との間の間隔を調整することにより、透光性カバーにおける光の出射の分布が調整されている。具体的には、発光ユニット５２のＬＥＤ基板５２４に搭載されているＬＥＤ素子５２６と、透光性カバー５２１の下面側までの距離は、ＬＥＤ基板５２４に搭載される各列のＬＥＤ素子間の距離よりも大きく設定されている。
【０１０５】
これにより、ＬＥＤ素子５２６からの光が透光性カバー５２１に到達する前に広がるので、透光性カバー５２１にてＬＥＤ素子５２６のグレアを解消した光の射出が可能となる。図示の実施の形態では、具体的には、発光ユニット５２のＬＥＤ素子５２６と透光性カバー５２１の間隔を３２ｍｍに設定することにより、対応することができ、これにより、透光性カバー５２１と端部透光性カバー５２２の全面において、ＬＥＤ素子５２６からの光を均一に照射することが可能となっている。
【０１０６】
（３．連結治具）
本発明の照明装置５００を複数連結して使用する場合においては、図３４に示すように、複数の照明器具５１０に跨って取り付けられて、これらの複数の照明器具５１０を相互に連結させる連結治具５４を使用する。
【０１０７】
この連結治具５４は、図２５及び図３４に示すように、複数の器具本体５１に跨る治具本体５４１、５４２と、この治具本体５４１、５４２から器具本体５１側へ向けて延びる係止部５４３、５４４とから成り、図３４に示すように、この係止部５４３、５４４が器具本体５１に設けられた嵌合孔５１５に挿入されて複数の照明器具５１０を相互に連結させる。この連結治具５４は、具体的には、例えば、ステンレス板を、打抜加工、プレス加工、折曲加工等することにより形成することができ、図２５及び図３４に示すように、嵌合孔５１５に対応する位置及び形状に係止部５４３、５４４が形成される。
【０１０８】
この連結治具５４としては、相互に連結する照明器具５１０の形態によって、複数の実施の形態が考えられる。具体的には、第１の形態として、図３４（Ａ）〜（Ｃ）に示すように、複数の器具本体５１を、器具本体５１の長手方向における端面同士を対向させて配置する直列接続を挙げることができる。この第１の形態である直列接続においては、連結治具５４は、図３４（Ａ）〜（Ｃ）に示すように、隣り合う２つの器具本体５１を長手方向における端面同士を対向させて配置した場合における各々の嵌合孔５１５の位置及び形状に対応して、長方形状に形成された治具本体５４１において、長辺側の短辺寄りの両端から略コの字状に延出するようにして形成された４つの係止部５４３を有する。
【０１０９】
また、第２の形態として、図３４（Ｄ）に示すように、一方の器具本体５１の長手方向における端面と他方の器具本体５１の長手方向における側面とを対向させて配置する、コーナー接続を挙げることができる。この第２の形態であるコーナー接続においては、連結治具５４は、図３４（Ｄ）に示すように、隣り合う２つの器具本体５１を一方の器具本体５１の長手方向における端面と他方の器具本体５１の長手方向における側面とを対向させて配置した場合における各々の嵌合孔５１５の位置及び形状に対応して、長方形状に形成された治具本体５４２において、長辺側の一方端を略コの字状に延出して形成された２つの係止部５４３と、長辺側の他方端の短辺をＬ字状に延出して形成された１つの係止部５４４を有する。
【０１１０】
本発明のＬＥＤ照明装置５００においては、図３４に示す、これらの直列接続とコーナー接続との２つの形態を組み合わせることにより、ＬＥＤ照明装置５００による照明システムを構成することが、可能となっている。この場合、照明器具５１０の器具本体５１に形成される嵌合孔５１５は、図３４に示すように、単に器具本体５１の配列を変えるだけで、１つの形態で、どちらの連結にも対応することができる。
【０１１１】
（４．連結）
これらの連結治具５４を用いて、複数のＬＥＤ照明装置５００を連結させるためには、第１の形態である直列接続の場合は、図３４（Ａ）〜（Ｃ）に示すように、相互に連結する器具本体５１を天井面５８等への連結面を上に並べて、連結する器具本体５１の両端に設けられている全ての嵌合孔５１５へ連結治具５４の係止部５４３を上面から挿入することにより、一体化する。
【０１１２】
一方、第２の形態であるコーナー接続の場合は、図３４（Ｄ）に示すように、連結する器具本体５１を天井面５８等への連結面を上に並べて、接続する器具本体５１の両端に設けられている嵌合孔５１５へ連結治具５４の係止部５４３と係止部５４４を上面から挿入することにより、一体化する。この場合、短辺側に形成された係止部５４４は、図３４（Ｄ）に示すように、他方の器具本体５１から見て遠い位置にある奥側の嵌合孔５１５に挿入される。
【０１１３】
連結されたＬＥＤ照明装置５００として光を均一に照射するためには、一体化された器具本体５１の間隔を、等間隔にすることが求められている。また、器具本体５１と透光性カバー５２１の光出射に係わる温度による伸縮が大きく異なるので、温度による伸縮を考慮すると１ｍｍ単位の位置決め精度が求められることになる。そのために、連結する器具本体５１の間隔を１ｍｍ間隔とする必要であり、連結する器具本体５１の位置決めが難しくなっている。この場合、本発明に使用される連結治具５４を使用することにより、連結する器具本体５１の間隔について正確に位置決めを行うことができる。ＬＥＤ照明装置５００の配置に対応して、第１の形態と第２の形態を組み合わせることにより、多彩な配置に対応することが可能となっている。
【０１１４】
（５．スライド）
なお、ＬＥＤ照明装置５００は、天井面５８に対してスライド（移動）させることができる機能を付加することができる。器具本体５１に設けられている２つの取付け孔５１４を、長穴にすることにより、吊りボルト５６との位置関係を調整することができる。それにより、例えば部屋の間仕切りを変更する場合に、ＬＥＤ照明装置５００を、間仕切りの妨げにならない位置に移動させることが可能となる。さらに、間仕切り終了後にもとの部屋に戻すことも簡単にでき、多様に使用することが可能となる。
【０１１５】
また、新たに吊りボルト５６を設けた取付板を天井面５８に固定し、取付板の吊りボルト５６を用いて同様であるスライドの構造とすることも可能である。そのとき、取付板の長手方向寸法を短くすれば、スライドさせた時に、取付板がＬＥＤ照明装置５００の範囲を外れて見えることをなくすことができる。
【０１１６】
（６．天井面等の被取付面への設置）
本発明のＬＥＤ照明装置５００は、以下のように被取付面である天井面５８や壁等に取り付けることができる。即ち、まず、天井面５８からＬＥＤ照明装置５００の配置に合わせて、吊りボルト５６が設けられており、器具本体５１の電源用孔５１３に合わせて、天井面５８に直径１５ｍｍの孔をあけて、該孔から外部電源線５５を引き出す。
【０１１７】
次に、設置するＬＥＤ照明装置５００の器具本体５１を、上述したように、連結治具５４を用いて連結する。器具本体５１は、連結した器具本体５１の取付け孔５１４を、天井面５８からの吊りボルト５６に合わせて、天井面５８に位置決めして、吊りボルト５６をナット５７により止めることで仮止めされる。
【０１１８】
更に、外部電源線５５を器具本体５１の電源用孔５１３から引き出し、外部電源線５５の２本の芯線を、送り端子付速結端子５１１に挿着する。送り端子付速結端子５１１から、隣接する器具本体５１の送り端子付速結端子５１１に器具本体５１の端部の送り孔５１６を用いて配線する。これにより、天井面５８から引き出す外部電源線５５の配線を少なくすることが可能となる。仮止めされていた器具本体５１は、吊りボルト５６のナット５７を本締めして、天井面５８等に固定する。
【０１１９】
最後に、取付けられた器具本体５１から発光ユニット５２へ配線すると共に、発光ユニット５２を器具本体５１の長辺開口部端面５１ａと、発光ユニット５２におけるＶ字バネ固定部品５３１の外側面５３１ａを接しさせると共に、位置調整部品５３５が、器具本体５１の短辺開口部端面５１ｂと接することにより、発光ユニット５２との位置決めを行いながらＶ字バネ５３０により固定して、ＬＥＤ照明装置５００による照明システムが完成する。これにより器具本体５１と発光ユニット５２の長さ方向が、正確に位置決めすることができ、均一に光を照射することができる。
【０１２０】
（７．バネの他の実施の形態）
発光ユニット５２は、図２６乃至図２８に示す実施の形態においては、Ｖ字バネ５３０を使用して、器具本体５１に取り付けたが、バネの形態は必ずしも、このＶ字バネ５３０に限定されるものではなく、他の実施の形態とすることもできる。具体的には、例えば、図３５及び図３６に示すように、コの字バネ５３２を使用することができる。このコの字バネ５３２は、図３５及び図３６に示すように、発光ユニット５２の幅方向における中央部における２カ所に設けられている。従って、発光ユニット５２の位置決めが容易であると共に、発光ユニット５２の長手方向における両端にバネ等を設ける場合（２カ所の両端に設けて計４カ所に設ける場合）に比べて、コの字バネ５３２の装着箇所、ひいては、作業工程数を減少させることができ、装着作業をより一層簡易にすることができる。
【０１２１】
このコの字バネ５３２は、図３５及び図３６に示すように、ベース部材５２３の２ヵ所に第２の溝部５２３ｅに第２のネジ５２９ｂで固定されたコの字バネ固定部品５３３に取り付けられて配設されている。このコの字バネ５３２に対応するように器具本体５１側に配設されている２個のコの字バネ受け５３４に、コの字バネ５３２を挿入して固定される。
【０１２２】
このコの字バネ５３２は、図３５及び図３６に示すように、ベース部材５２３に相対向して配置された複数のコイルバネ部５３２ｂと、このコイルバネ部５３２ｂから延出してフレーム状に成形されたフレーム部５３２ａとから成っている。従って、Ｖ字バネ５３０と異なり、２本の指で両端のバネ間の間隔を狭める等の作業をすることなく、コの字バネ受け５３４に装着することができる。
【０１２３】
この場合、図３５及び図３６に示すように、このフレーム部５３２ａの一部に屈曲部５３２ｄを設けることが望ましい。これにより、フレーム部５３２ａは、自由状態において設置面からその一部が盛り上がるようにして配置されるため、作業のための指等をこの盛り上がったスペース内に挿入してフレーム５３２ａを持ち上げ易くなり、装着作業がより一層簡易となる。
【０１２４】
また、このコの字バネ５３２は、図３５及び図３６に示すように、そのフレーム部５３２ａが、コイルバネ部５３２ｂが設置されている面（図示の実施の形態では、ベース部材５２３）に向けて付勢されている。従って、屈曲部５３２ｄに指を挿入して、この付勢力に抗して、フレーム部５３２ａを持ち上げて、器具本体５１に設けられたコの字バネ受け５３４に挿入した後、その弾性変形を解除することにより、コの字バネ５３２はコの字バネ受け５３４を引き寄せることができ、これにより、コの字バネ５３２を備えた発光ユニット５２を器具本体５１に装着することができる。
【０１２５】
更に、このコの字バネ５３２は、フレーム部５３２ａが、コイルバネ部５３２ｂに近づくに連れ幅が狭くなるように設定されている。これにより、コの字バネ５３２のフレーム部５３２ａを、コの字バネ受け５３４に挿入し易くなると共に、安定的に係止することができる。
【０１２６】
このコの字バネ５３２は、バネ端部５３２ｃが、コイルバネ部５３２ｂの両端から延設されて、コの字バネ固定部品５３３の固定金具５３３ｂに係止され、このコの字バネ固定部品５３３が、ベース部材５２３に爪部５３３ｃと固定金具５３３ｂにより固定されることにより、コの字バネ５３２がベース部材５２３に取り付けられる。このコの字バネ固定部品５３３は、中央部の中心軸部５３３ｄから延伸しているバネ保持部５３３ａによって、コイルバネ部５３２ｂを係止する。
【０１２７】
一方、このコの字バネ５３２を係止するコの字バネ受け５３４は、図３５及び図３６に示すように、器具本体５１に設けられ、長方形を略コの字状に成形したコの字バネ受け５３４の両端を固定するために、両端から延伸して固定部５３４ａを設けて、器具本体５１にネジで固定する。コの字バネ受け５３４は、コの字バネ受け５３４の側部５３４ｃで挟まれている底部５３４ｂから内側に曲げた係止部５３４ｄを有する。
【０１２８】
また、より安全に器具本体５１に発光ユニット５２を装着するために、器具本体５１側のコの字バネ受け５３４に紐の一方端を固定して、他方端にフックを固定した落下防止用の紐を設ける。装着するときに、他方端のフックをコの字バネ固定部品５３３に掛止することにより、発光ユニット５２を仮固定することができるので、さらに安全に装着することができる。
【０１２９】
なお、図示の実施の形態では、図３５に示すように、器具本体５１にコの字バネ受け５３４を、ベース部材５２３にコの字バネ５３２及びコの字バネ固定部品５３３を設置したが、必ずしも、この形態に限定されるものではなく、器具本体５１にコの字バネ５３２及びコの字バネ固定部品５３３を、ベース部材５２３にコの字バネ受け５３４を設置することもできる。後者の場合には、コの字バネ５３２をその付勢力に抗して変形させながら同時にコの字バネ５３２を把持して発光ユニット５２ごと引き上げる必要がなく、面倒な力作業を要することなく、簡易に発光ユニット５２を器具本体５１に装着することができるメリットがある。
【０１３０】
（８．その他）
以上のように、本実施形態では、各点灯回路に対応する部位毎に、独立して別々にＬＥＤ素子５２６の発光又は調光が制御されている。これらによってＬＥＤ照明装置５００は、１台のＬＥＤ照明装置５００で複数のＬＥＤ照明装置を設置したと同様な多角的な照明を行うことが可能となり、多角的な照明効果を得るために複数の異なるＬＥＤ照明装置を設置する場合に比べて設置し易く、異なる複数のＬＥＤ照明装置を設置又は製造する工数とコストの削減と省エネ化を実現することができ、良好な意匠性を示している。なお、図示の実施の形態では、器具本体５１の形状を長方形にしたが、これに限定されず断面が略半円形等からなる扁平な形状であってもよい。さらに、各点灯回路に対応する部位は、２分割に限られず、複数の部分に分割して実施してもよく、これらの動作制御は、リモコン等により実施される。
【０１３１】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なし得る各種変形、修正もまた本発明に含まれる。
【産業上の利用可能性】
【０１３２】
本発明のＬＥＤ照明装置は、ＬＥＤ素子を発光素子として用いる照明装置、例えばリビングや和室、更に、寝室や子供部屋等の各居室や廊下、玄関等の天井面や壁面等に沿って設置されるシーリングライトや、事業所や店舗等の商業施設等の比較的広い施設の天井面に設置されるモジュール照明等のＬＥＤ照明装置として、広く適用することができる。
【符号の説明】
【０１３３】
１：ＬＥＤランプ本体
１０：ベース部材
１０ａ：ベース部材取付部
１０ｂ：ベース部材配線孔
１０ｃ：枠体取付具
１１：取付部分
１１ａ：アダプタ受け部材
１１ｂ：アダプタ係止挿入部
１１ｃ：アダプタ前面開口部
１１ｄ：アダプタ背面開口部
１１ｅ：アダプタ受け部材配線孔
１１ｆ：アダプタ受け部材固定孔
１２：弾性部材
１３：点灯制御部
１３ａ：電子部品
１４：ＬＥＤ基板
１４ａ：基板凹部
１４ｂ：基板接続線
１４ｃ：基板コネクタ
１４ｄ：電子部品
１４ｅ：基板固定台
１５：ＬＥＤ素子
１６：周方向リブ
１６ａ：中央部側リブ
１６ｂ：内部側リブ
１６ｃ：周縁部側リブ
１７：放射方向リブ
１８：センターカバー
１８ａ：センターカバー本体
１８ｂ：センターカバー蓋
１８ｃ：センターカバー開口部
１８ｄ：センターカバー挿入部
１８ｅ：センターカバーヒンジ部
１８ｆ：センターカバーロック部
１８ｇ：チャンネルスイッチ
１８ｈ：リモコン信号受光部
１８ｊ：センター基板
１８ｋ：補助光源
１８ｍ：センターコネクタ
１８ｎ：センター基板カバー
１８ｐ：センターカバーリブ
１８ｑ：センターカバー配線孔
１８ｒ：チャネル窓
１８ｓ：リモコン信号受光部窓
１８ｔ：補助光源窓
１９：電源カバー
１９ａ：電源カバー内縁部
１９ｂ：電源カバー外縁部
１９ｃ：電源カバー背面壁
１９ｄ：電源カバー内側壁
１９ｅ：電源カバー外側壁
１９ｆ：電源カバー開口部
２０：保護カバー
２０ａ：保護カバー内周部
２０ｂ：保護カバー外周部
２０ｃ：保護カバー挿入端部
２０ｄ：保護カバー受け端部
２０ｅ：保護カバー固定孔
３：透光性カバー
３ａ：透光性カバーＡ部
３ｂ：透光性カバーＢ部
３１：枠体取付部
３２：仕切り板
４：枠体
４１：ベース取付部
４２：カバー取付具
４３：枠の環
５： 天井面
６： アダプタ
６ａ：係止部
６ｂ：引掛刃
６ｃ：止め具
６ｄ：ボタン
７：配線器具
８：方向判別印
１００：ＬＥＤ照明装置
５１：器具本体
５１ａ：長辺開口部端面
５１ｂ：短辺開口部端面
５１１：送り端子付速結端子
５１２：バネ受け
５１３：電源用孔
５１４：取付け孔
５１５：嵌合孔
５１６：送り孔
５２：発光ユニット
５２ａ：発光ユニットＡ部
５２ｂ：発光ユニットＢ部
５２１：透光性カバー
５２１ａ：平面部
５２１ｂ：ベース部材挿入部
５２１ｃ：ベース部材受部
５２１ｄ：仕切り板
５２２：端部透光性カバー
５２２ａ：中央部
５２２ｂ：外縁部
５２２ｃ：ガイド部
５２３：ベース部材  
５２３ａ：基板部
５２３ｂ：電源台
５２３ｃ：カバー挿入部
５２３ｄ：第１の溝部
５２３ｅ：第２の溝部
５２４：ＬＥＤ基板
５２４ａ：第１のＬＥＤ基板単体
５２４ｂ：第２のＬＥＤ基板単体
５２４ｃ：第１のＬＥＤ基板の凹部
５２４ｄ：第２のＬＥＤ基板の凹部
５２６：ＬＥＤ素子
５２８：点灯制御部
５２９：ネジ
５２９ａ：第１のネジ
５２９ｂ：第２のネジ
５３０：Ｖ字バネ
５３１：Ｖ字バネ固定部品
５３１ａ：外側面
５３２：コの字バネ
５３２ａ：フレーム部
５３２ｂ：コイルバネ部
５３２ｃ：バネ端部
５３２ｄ：屈曲部
５３３：コの字バネ固定部品
５３３ａ：バネ保持部
５３３ｂ：固定金具
５３３ｃ：爪部
５３３ｄ：中心軸部
５３４：コの字バネ受け
５３４ａ：固定部
５３４ｂ：底部
５３４ｃ：側部
５３４ｄ：係止部 
５３５：位置調整部品
５４：連結治具
５４１：治具本体
５４２：治具本体
５４３：係止部
５４４：係止部
５５： 外部電源線
５６：吊りボルト
５７：ナット
５８：天井面
５９：方向判別印
５１０：照明器具
５００：ＬＥＤ照明装置
【図１】
2015103333.tif 000003
【図２】
2015103333.tif 000004
【図３】
2015103333.tif 000005
【図４】
2015103333.tif 000006
【図５】
2015103333.tif 000007
【図６】
2015103333.tif 000008
【図７】
2015103333.tif 000009
【図８】
2015103333.tif 000010
【図９】
2015103333.tif 000011
【図１０】
2015103333.tif 000012
【図１１】
2015103333.tif 000013
【図１２】
2015103333.tif 000014
【図１３】
2015103333.tif 000015
【図１４】
2015103333.tif 000016
【図１５】
2015103333.tif 000017
【図１６】
2015103333.tif 000018
【図１７】
2015103333.tif 000019
【図１８】
2015103333.tif 000020
【図１９】
2015103333.tif 000021
【図２０】
2015103333.tif 000022
【図２１】
2015103333.tif 000023
【図２２】
2015103333.tif 000024
【図２３】
2015103333.tif 000025
【図２４】
2015103333.tif 000026
【図２５】
2015103333.tif 000027
【図２６】
2015103333.tif 000028
【図２７】
2015103333.tif 000029
【図２８】
2015103333.tif 000030
【図２９】
2015103333.tif 000031
【図３０】
2015103333.tif 000032
【図３１】
2015103333.tif 000033
【図３２】
2015103333.tif 000034
【図３３】
2015103333.tif 000035
【図３４】
2015103333.tif 000036
【図３５】
2015103333.tif 000037
【図３６】
2015103333.tif 000038